(57)【要約】      （修正有）【課題】操作性および移動性が改善された新型多用途軽便式ミキサーを提供する。【解決手段】台座と、台座に設けられている動力伝導装置２と攪拌装置３を含み、台座の先端は、前支持部材４を設け、後端は、後支持部材５と操作ハンドル６を設けており、台座には、また重量を支える動輪７を設け、攪拌装置３は、攪拌桶と、攪拌桶に設置されている攪拌結構部材とを含む。後支持部材５と重量を支える動輪７が、水平地面と接している時、ミキサーは、静止状態で置かれる。この時、攪拌桶は、水平表面に対して上向き所定の角度で傾斜しているように設置され、攪拌桶の材料進出口は、上向きとなる。前支持部材４と重量を支える動輪７が、水平地面と接している時、攪拌桶は、水平表面に対して下向き所定の角度で傾斜しているように設置され、攪拌桶の材料進出口は、下向きとなる。【選択図】図１
0003200068.tif 000002
【実用新案登録請求の範囲】
【請求項１】
新型多用途軽便式ミキサーに関し、それは、台座と、前記台座に設けられている動力伝導装置と攪拌装置を含み、前記攪拌装置は、前記動力伝導装置で駆動し回転することを特徴とし、
前記台座の先端は、前支持部材を設け、後端は、後支持部材と操作ハンドルを設けており、前記台座では、また重量を支える動輪を設け、前記重量を支える動輪は、前記前支持部材と前記後支持部材との間に設置されており；
前記攪拌装置は、攪拌桶と、前記攪拌桶に設置されている攪拌結構部材とを含み、前記後支持部材と前記重量を支える動輪が、水平地面と接している時、前記ミキサーは、静止状態で置かれ、この時、前記攪拌桶は、水平表面に対して上向き所定の角度で傾斜しているように設置され、前記攪拌桶の材料進出口は、上向きとなり、前記前支持部材と重量を支える動輪が、水平地面と接している時、前記ミキサーは、材料を流出する状態となり、この時、前記攪拌桶は、水平表面に対して下向き所定の角度で傾斜しているように設置され、前記攪拌桶の材料進出口は、下向きとなる、新型多用途軽便式ミキサー。
【請求項２】
前記重量を支える動輪は、単独で水平地面と接触している時、前ミキサーは、作動状態となり、前記攪拌桶は、水平表面に対して上向き所定の角度で傾斜しているように設置され、しかも上向き所定の角度は、静止状態で置かれる時に係る前記ミキサーの前記攪拌桶が、上向きの傾斜角度より小さくなり、同時に、前記攪拌桶の材料進出口も上向きとなることを特徴とする請求項１に記載の新型多用途軽便式ミキサー。
【請求項３】
前記攪拌桶は、静止状態で置かれる時、前記攪拌桶の上向き傾斜角度は、４５度となることを特徴とする請求項２に記載の新型多用途軽便式ミキサー。
【請求項４】
前記台座は、２つの主なフレームバーを含み、前記前支持部材は、前記２つの主なフレームバーの前端と接続している横方向支持部材となり、前記後支持部材は、前記２つの主なフレームバーの後端が下へ曲げて形成された支持脚結構となり、前記操作ハンドルは、前記２つの主なフレームバーの後端と接続しているハンドルバー結構となり或いは前記２つの主なフレームバーの後端が下へ曲げて形成されたハンドルバー結構となり、前記前記重量を支える動輪は、左右でおのおの一つがあり、しかも同一の回転軸を通って、回転できるように２つの主なフレームバーで設置されることを特徴とする請求項１、２または３に記載の新型多用途軽便式ミキサー。
【請求項５】
前記動力伝導装置は、可変速モータと、ドライブピニオンと、従動ギアを含み、前記ドライブピニオンは、カップリングを通って前記可変速モータの出力端と接続し、前記従動ギアは、前記ドライブピニオンとお互いに噛み合うことを特徴とする請求項１、２または３に記載の新型多用途軽便式ミキサー。
【請求項６】
前記攪拌桶は、攪拌桶の底部を通って、従動ギアと接続して一体となり、前記攪拌結構部材は、前記攪拌桶に設けられている複数の攪拌葉となり、前記各々の攪拌葉の一端は、攪拌桶の桶底部と固定接続されるが、他の一端は、前記攪拌桶上部の材料進出口の内側に固定されることを特徴とする請求項５に記載の新型多用途軽便式ミキサー。
【請求項７】
前記台座では、所定角度を呈ししかもお互いに支えるモータベースフレームとトラック組立パネルが設置され、前記可変速モータは、前記モータベースフレームに設けられ、前記ドライブピニオンは、前記トラック組立パネルの底板部に設けられ、前記従動ギア及び前記従動ギアと接続一体となる攪拌桶は、前記トラック組立パネル前端の座面に設置されることを特徴とする請求項６に記載の新型多用途軽便式ミキサー。
【請求項８】
前記可変速モータの上にモータフードを設定していることを特徴とする請求項７に記載の新型多用途軽便式ミキサー。
【請求項９】
前記攪拌桶の桶底部は、前記従動ギアをかぶせるダストリングを設けることを特徴とする請求項６に記載の新型多用途軽便式ミキサー。
【請求項１０】
各々の前記攪拌葉は、中間竿と両側の曲げ竿が接続することで形成され、前記両側の曲げ竿が中間竿との間で中空領域を形成することを特徴とする請求項６に記載の新型多用途軽便式ミキサー。
【考案の詳細な説明】
【技術分野】
【０００１】
本考案は、ミキサーに関し、特に、建設業界、飼育業界等の場合に適用される新型で軽便式のミキサーに関する。
【背景技術】
【０００２】
現在、建設業界における建築物の改修、飼育加工業界等の場合に使ったミキサーは、すべて特定の場所に限られ、運動操作の使用と移動に都合がよくない。そのため、施工又は加工することが、不便、低効率、不経済、低い環境保護の品質となることを招き、使用環境も大幅に制限され、したがって、改善される必要がある。
【考案の概要】
【考案が解決しようとする課題】
【０００３】
本考案の目的は、既存技術の欠点と不足を克服することであって、新型多用途軽便式ミキサーを提供し、それは、静止状態に置かれている時、起動されてして回転すること、作動する時等の多種な作業する際に、材料をいれて、攪拌する作業を完成する。同時に、操作ハンドルを採用して、新型多用途軽便式ミキサーをあげて、斜めに傾けて材料を出し、便利に移して運ぶことができる。
【課題を解決するための手段】
【０００４】
本考案の目的は、以下の技術方案を通じて実現する：
新型多用途軽便式ミキサーであって、それは、台座と、前記台座に設けられている動力伝導装置と攪拌装置を含み、前記攪拌装置は、前記動力伝導装置で駆動し回転して、前記台座の先端は、前支持部材を設け、後端は、後支持部材と操作ハンドルを設けており、前記台座では、また重量を支える動輪を設け、前記重量を支える動輪は、前記前支持部材と前記後支持部材との間に設置される。前記攪拌装置は、攪拌桶と、前記攪拌桶に設置されている攪拌結構部材とを含み、前記後支持部材と前記重量を支える動輪が、水平地面と接している時、前記ミキサーは、静止状態で置かれる。この時、前記攪拌桶は、水平表面に対して上向き所定の角度で傾斜しているように設置され、前記攪拌桶の材料進出口は、上向きとなる。前記前支持部材と重量を支える動輪が、水平地面と接している時、前記ミキサーは、材料を流出する状態となり、この時、前記攪拌桶は、水平表面に対して下向き所定の角度で傾斜しているように設置され、前記攪拌桶の材料進出口は、下向きとなる。
【０００５】
更に、前記重量を支える動輪は、単独で水平地面と接触している時、前ミキサーは、作動状態となる。この時、前記攪拌桶は、水平表面に対して上向き所定の角度で傾斜しているように設置され、しかも上向き所定の角度は、静止状態で置かれる時に係る前記ミキサーの前記攪拌桶が、上向きの傾斜角度でより小さくなり、同時に、前記攪拌桶の材料進出口も上向きとなる。
【０００６】
また、前記攪拌桶は、静止状態で置かれる時、前記攪拌桶の上向き傾斜角度は、４５度となる。
【０００７】
更に、前記台座は、２つの主なフレームバーを含み、前記前支持部材は、前記２つの主なフレームバーの前端と接続している横方向支持部材となり、前記後支持部材は、前記２つの主なフレームバーの後端が下へ曲げて形成された支持脚結構となり、前記操作ハンドルは、前記２つの主なフレームバーの後端と接続しているハンドルバー結構となり或いは前記２つの主なフレームバーの後端が下へ曲げて形成されたハンドルバー結構となる。前記前記重量を支える動輪は、左右でおのおの一つがあり、しかも同一の回転軸を通って、回転できるように２つの主なフレームバーで設置される。
【０００８】
更に、前記動力伝導装置は、可変速モータと、ドライブピニオンと、従動ギアを含み、前記ドライブピニオンは、カップリングを通って前記可変速モータの出力端と接続し、前記従動ギアは、前記ドライブピニオンとお互いに噛み合う。
【０００９】
更に、前記攪拌桶は、攪拌桶の底部を通って、従動ギアと接続して一体となり、前記攪拌結構部材は、前記攪拌桶に設けられている複数の攪拌葉となり、前記各々の攪拌葉の一端は、攪拌桶の底部と固定接続されるが、他の一端は、前記攪拌桶上部の材料進出口の内側に固定される。
【００１０】
更に、前記台座では、所定角度を呈ししかもお互いに支えるモータベースフレームとトラック組立パネルが設置され、前記可変速モータは、前記モータベースフレームに設けられ、前記ドライブピニオンは、前記トラック組立パネルの底板部に設けられ、前記従動ギア及び前記従動ギアと接続一体となる攪拌桶は、前記トラック組立パネル前端の座面に設置される。
【００１１】
更に、前記可変速モータの上にモータフードを設定している。
【００１２】
更に、前記攪拌桶の桶底部は、前記従動ギアをかぶせるダストリングを設ける。
【００１３】
更に、各々の前記攪拌葉は、中間竿と両側の曲げ竿が接続することで形成され、前記両側の曲げ竿が中間竿との間で中空領域を形成する。
【００１４】
従来の技術と比較して、本考案は、以下の利点を有する。
１、本考案に係る新型のミキサーは、静止状態に置かれている時、起動されて回転し、作動する時等の多種な作業する際に、材料をいれて、攪拌する作業を可能にする。同時に、操作ハンドルを採用し、本考案に係る新型のミキサーをあげて、斜めに傾けて材料を出し、容易に移動させ運ぶことができ、しかも効率が高い。
２、多種用途に適応でき、建設業界におけるコンクリートの攪拌と飼育産業における飼料の攪拌等に応用でき、異なる場所に応用する時、単に攪拌桶を相応に適用する材料に置き換えることができる。例えば、コンクリートの攪拌に使用される時、前記攪拌桶は、鋼板材料を採用することができ、飼料の攪拌に使用される時、前記攪拌桶は、ステンレス板材を採用することができる。
３、構造設計が合理的で、使用場所に制限がなく、他の類似の機械装置が入れない工事現場に置くことができ、それによって、工事難度と不足を解決する。
４、多くの場所に適用され、施工、材料を入れ、材料を注ぎ、材料を出すことに便宜を図る。そして、機動的に原材料を輸送でき、加工した材料を処理でき、それによって、他の同種製品がやり遂げることができない同等な作業量と比べて、作業量を短縮し、多くの場で材料を輸送することができるという問題を解決できる。
５、本考案に関わる新型なミキサーは、新規またシンプルである、経済化の大衆需要に適合する。本考案は、大、中、小規模な工事項目の制限を受けず、施工することに使われ、更に、山の中の村、泥濘地、都市と町の階層間、屋根の屋上、人々が密集する等の環境において施工時に使われうる。たとえ特別な招聘人員が不足だとしても、一人で本考案のミキサーを使用し、当日に達した作業量に影響を与えることはない。
【図面の簡単な説明】
【００１５】
【図１】本考案による多用途のミキサーが静止状態で置かれる結構を示す図である。
【図２】本考案による多用途のミキサーが材料を送る（作動する）状態の結構を示す図である。
【図３】本考案による多用途のミキサーが材料を出す状態の結構を示す図である。
【図４】本考案による多用途のミキサーの分解を示す図である。
【図５】本考案による攪拌装置の分解を示す図である。
【考案を実施するための形態】
【００１６】
以下、実施例と図面に基づき実施例について本考案を詳説します。
図１〜図５に示すように、本考案に関わる実施例の新型多用途軽便式ミキサーであって、それは、台座１と、前記台座１に設けられている動力伝導装置２と攪拌装置３を含み、前記攪拌装置３は、前記動力伝導装置２で駆動し回転する。前記台座１の先端は、前支持部材４を設け、後端は、後支持部材５と操作ハンドル６を設けており、前記台座１では、また重量を支える動輪７を設け、前記重量を支える動輪７は、前記前支持部材４と前記後支持部材５との間に設置される。前記攪拌装置３は、攪拌桶３１と、前記攪拌桶３１に設置されている攪拌結構部材３２とを含む。前記後支持部材５と前記重量を支える動輪７が、水平地面と接している時、前記ミキサーは、静止状態で置かれる。この時、前記攪拌桶３１は、水平表面に対して所定の角度で上向き傾斜しているように設置され、前記攪拌桶３１の材料進出口３１１は、上向きとなり、それによって、前記攪拌桶３１内にある材料が、溢れないため、前記攪拌桶３１に材料を加え続き攪拌作業を行います。前記前支持部材４と重量を支える動輪７が、水平地面と接している時、前記ミキサーは、材料を流出する状態となり、この時、前記攪拌桶３１は、水平表面に対して所定の角度で下向き傾斜しているように設置され、前記攪拌桶の材料進出口３１１は、下向きとなり、それによって、前記攪拌桶３１内にある材料が、注がれるため、前記攪拌桶３１から材料を出すことができる。
【００１７】
前記重量を支える動輪７は、単独で水平地面と接触している時、前ミキサーは、作動状態となり、その時、前記攪拌桶３１は、水平表面に対して上向き所定の角度で傾斜しているように設置され、しかも上向き所定の角度aは、静止状態で置かれる時に係る前記ミキサーの前記攪拌桶３１が、上向きの傾斜角度bより小さくなり、同時に、前記攪拌桶３１の材料進出口３３１も上向きとなる。それによって、前記攪拌桶３１内にある材料が、溢れないため、前記攪拌桶３１に材料を加え続き攪拌作業を行うことができる。好ましくは、前記攪拌桶３１は、静止状態で置かれる時、その上向き傾斜角度bは、４５度となる。
【００１８】
前記台座１は、２つの主なフレームバー１１、１２を含み、前記前支持部材４は、前記２つの主なフレームバー１１、１２の前端と接続している横方向支持部材となり、前記後支持部材５は、前記２つの主なフレームバー１１、１２の後端が下へ曲げて形成された支持脚結構となり、前記操作ハンドル６は、前記２つの主なフレームバー１１、１２の後端と接続しているハンドルバー結構となり或いは前記２つの主なフレームバー１１、１２の後端が下へ曲げて形成されたハンドルバー結構となる。前記前記重量を支える動輪７は、左右でおのおの一つがあり、しかも同一の回転軸８を通って、回転できるように２つの主なフレームバー１１、１２で設置される。
【００１９】
前記動力伝導装置２は、可変速モータ２１と、ドライブピニオン２２と、従動ギア２３を含み、前記ドライブピニオン２２と可変速モータ２１の出力端は、カップリング２０を通って接続し、前記従動ギア２３は、前記ドライブピニオン２２とお互いに噛み合う。前記攪拌桶３１は、攪拌桶の底部３１２を通って、従動ギア２３と接続して一体となり、前記攪拌結構部材３２は、前記攪拌桶３１に設けられている複数の攪拌葉となり、前記各々の攪拌葉の一端は、攪拌桶３１の底部と固定接続されるが、他の一端は、前記攪拌桶３１の材料進出口の内側に固定される。
【００２０】
前記台座１では、所定角度を呈ししかもお互いに支えるモータベースフレーム９とトラック組立パネル１０が設置され、前記可変速モータ２１は、前記モータベースフレーム９に設けられ、前記ドライブピニオン２２は、前記トラック組立パネル１０の底板部１０１に設けられ、前記従動ギア２３及び前記従動ギア２３と接続一体となる攪拌桶３１は、従動ギアの基座２３１を通って、前記トラック組立パネル１０前端の座面１０２に設置される。モーターが工事現場のような悪い環境の影響を受けないことを保護するために、前記可変速モータ２１の上は、モータフード２１aを設置する。同時に、施工する現場のほこり、異物などが前記従動ギア２３のギアの隙間に入られることを防止するために、前記攪拌桶３１の桶底部３１２は、保護カバーを設け、前記従動ギア２３の噛合い性を保護してダストリング３１２aとされ、それによって、二重の保護の役割を果たしている。
【００２１】
各々の攪拌葉３２は、中間竿３２１と両側の曲げ竿３２２が接続することで形成され、前記両側の曲げ竿３２２が中間竿３２１との間で中空領域３２３を形成する。前記攪拌葉３２は、攪拌している時、コンクリートが各々の中空領域３２３を通って、降りてくる。それによって、攪拌抵抗を低減することができ、攪拌する速度がもっと速くなるだけでなく、必要な動力も小さくなる。
【００２２】
作動している時、前記可変速モータ２１は、前記ドライブピニオン２２及び前記従動ギア２３で組成したギア変速伝動機構を通って、前記攪拌桶３１と前記攪拌桶３１内の前記攪拌葉３２を伝動させ同歩で回転するため、ミキサーの攪拌作業を実現する。前記ミキサーは、材料を出す時に、操作ハンドル６によって、前記台座１をあげて、前記攪拌桶３１を斜めに材料を出す位置（即ち、攪拌桶の進出口が下向きへ）に傾けてもよい。逆に、操作ハンドル６を押して、前記攪拌桶３１を静止または運送で置かれる位置に戻らせることも可能である。
【００２３】
本考案に関わる新型多用途軽便式ミキサーは、建設業界におけるコンクリートの攪拌と飼育産業における飼料の攪拌等に応用でき、コンクリートの攪拌に使用される時、前記攪拌桶は、鋼板材料を採用することができ、飼料の攪拌に使用される時、前記攪拌桶は、ステンレス板材を採用することができる。
【００２４】
本考案は、上述した好ましい実施形態を例示したが、当業者が、いろいろな変化と変更を行っても、変化と変更した内容が、本考案の範囲から逸脱するがことない限り、本考案の申請の範疇であるものと見なす。
【００２５】
１台座
２動力伝導装置
２０カップリング
２１可変速モータ
２１aモータフード
２２ドライブピニオン
２３従動ギア
２３１従動ギアの基座
３攪拌装置
３１攪拌桶
３１１材料進出口
３１２攪拌桶の底部
３１２aダストリング
３２攪拌結構部材
３２１中間竿
３２２両側の曲げ竿
３２３中空領域
４前支持部材
５後支持部材
６操作ハンドル
７重量を支える動輪
８回転軸
９モータベースフレーム
１０トラック組立パネル
１０１底板部
１０２座面
１１フレームバー
１２フレームバー
【図１】
0003200068.tif 000003
【図２】
0003200068.tif 000004
【図３】
0003200068.tif 000005
【図４】
0003200068.tif 000006
【図５】
0003200068.tif 000007